(57)【特許請求の範囲】
【請求項１】
上下方向を有し、硬質プラスティック材料から形成される固定部材と、軟質プラスティック材料から形成される可動部材とから構成され、
前記固定部材が、その上部に位置する台座部と、前記台座部から下方へ先鋭状に延びる差込部と、前記台座部の中央部から上方への延出部とを有し、
前記可動部材が、前記延出部が上下摺動可能に挿入する筒状体に形成され、前記可動部材の上端部に複数の細片に分割されるボール支承部と、前記台座部に接離する基部とを有するゴルフティにおいて、
前記延出部は、前記固定部材の一部から一体的に支柱部として形成されていて該固定部材と同様に硬質であって、前記支柱部がその上端部にボール当接面を有し、
前記可動部材の、前記支柱部に沿う上方への摺動範囲に対する規制手段が、前記可動部材と前記固定部材との間に設けられ、
前記規制手段が、前記支柱部の対向周面において前記台座部から上方へ延びる凹溝部と、前記可動部材の対向内側に形成され前記凹溝部に摺動可能に嵌合する凸起部とから構成され、
前記支柱部が、前記凹溝部が形成される大径下部と、前記大径下部に連なる小径上部とから構成され、前記小径上部に前記ボール当接面が形成され、
前記ボール当接面と前記ボール支承部とが、前記台座部と前記基部とが互いに接触している前記可動部材の上方への非摺動状態において、前記ボール当接面が前記ボール支承部より下部に位置する関係にあることを特徴とする前記ゴルフティ。
【請求項２】
前記ボール当接面は、下方への凹曲面に形成される請求項１に記載のゴルフティ。
【請求項３】
前記基部の近傍から上方へ向かう所要範囲の対向周面には、窓孔が形成されている請求項１又は２記載のゴルフティ。
【発明の詳細な説明】
【技術分野】
【０００１】
この発明は、ゴルフティに関するものである。
【背景技術】
【０００２】
特許文献１及び２は、硬質プラスティック材料から形成される地面への突き刺し部と、柔軟性プラスティック材料から形成され突き刺し部の上端部に固着されて上方へ延びる連結部材と、軟質プラスティック材料から形成され連結部材に沿って上下摺動可能に連結部材に連結されるボール載せ部とからなり、かつ、ボール載せ部は、その上端部が可撓性を有しボールを浮かせて支持する支持片に形成されるゴルフティを開示する。
【０００３】
この先行技術では、支持片で支持されるボールを打つとき、クラブヘッドでティが衝撃を受けると、ボール載せ部が連結部材に沿って上方へ摺動し連結部材とともに屈曲変形する。したがって、その衝撃が緩和又は吸収され、クラブヘッドが損傷することがなく、ティが地面から抜けて妄りに遠くへ飛んでしまうようなことを防止することができる利点がある。
【特許文献１】特開２００４−２５４９６１号公報
【特許文献２】特開２００４−２５４９６２号公報
【発明の開示】
【発明が解決しようとする課題】
【０００４】
前記先行技術においては、ゴルフティは、それぞれ材質が異なり別体である、突き刺し部と、連結部材と、ボール載せ部との三つの構成要素を必要とし、廉価量産されるべきものとしては、それぞれの要素の成形及び結合構造が比較的複雑でコスト高になる。
【０００５】
また、ティの上半部、すなわち、突き刺し部よりも上部の要素である連結部材及びボール載せ部が柔軟性／可撓性を有するので、プレーヤーが、ボール載せ部の支持片にボールを載せ、ボール及びボール載せ部を手で握って、地面に突き刺す(差し込む)とき、ボール載せ部及び連結部材が座屈し易いので、即座に正しくティアップし難いことがある。
【０００６】
この発明の目的は、前記先行技術の利点を有するとともに、前記問題点を解決することができるゴルフティを提供することにある。
【課題を解決するための手段】
【０００７】
この発明は、前記目的を達成するため、上下方向を有し、硬質プラスティック材料から形成される固定部材と、軟質プラスティック材料から形成される可動部材とから構成され、前記固定部材が、その上部に位置する台座部と、前記台座部から下方へ先鋭状に延びる差込部と、前記台座部の中央部から上方への延出部とを有し、前記可動部材が、前記延出部が上下摺動可能に挿入する筒状体に形成され、前記可動部材の上端部に複数の細片に分割されるボール支承部と、前記台座部に接離する基部とを有するゴルフティを改良することにある。
【０００８】
前記改良のための特徴とするところは、下記のとおり。
前記延出部は、前記固定部材の一部から一体的に支柱部として形成されていて該固定部材と同様に硬質であって、前記支柱部がその上端部にボール当接面を有する。
前記可動部材の、前記支柱部に沿う上方への摺動範囲に対する規制手段が、前記可動部材と前記固定部材との間に設けられている。
前記規制手段が、前記支柱部の対向周面において前記台座部から上方へ延びる凹溝部と、前記可動部材の対向内側に形成され前記凹溝部に摺動可能に嵌合する凸起部とから構成されている。
前記支柱部が、前記凹溝部が形成される大径下部と、前記大径下部に連なる小径上部とから構成され、前記小径上部に前記ボール当接面が形成されている。
前記ボール当接面と前記ボール支承部とは、前記台座部と前記基部とが互いに接触している前記可動部材の上方への非摺動状態において、前記ボール当接面が前記ボール支承部より下部に位置する関係にある。
【０００９】
この発明は、下記の好ましい実施の形態を含む。
【００１０】
【００１１】
【００１２】
【００１３】
前記ボール当接面は、下方への凹曲面に形成される形態及び前記基部の近傍から上方へ向かう所要範囲の対向周面には、窓孔が形成されている形態。
【発明の効果】
【００１４】
この発明に係るゴルフティによれば、可動部材で支承されるボールを打つとき、クラブヘッドでティが衝撃を受けると、可動部材が固定部材の支柱部に沿って上方へ摺動する。したがって、その衝撃が緩和又は吸収され、クラブヘッドが損傷することがなく、ティが地面から抜けて妄りに遠くへ飛んでしまうようなことを防止することができる。
【００１５】
可動部材は、軟質であるが、固定部材と一体でこれと同様な硬質の支柱部に支持されるので、その支持状態が安定しており、かつ、ボールを即座に安定的かつ確実に支承する、すなわち、即座に正しくティアップすることができる。
【００１６】
さらに、この発明の実施の形態によれば、ティが支柱部を一体的に有する固定部材、可動部材との単なる二つの部材から構成され、その構造が先行技術に比較して簡単であり廉価量産性に優れている。
【発明を実施するための最良の形態】
【００１７】
この発明に係るゴルフティの最良の形態について図示例を参照して説明すると、以下のとおりである。
【００１８】
図１及び図２に示すように、ティ１０は、上下方向Ｌを有し、硬質プラスチック材料から形成される固定部材１１と、軟質プラスチック材料から形成される可動部材１２とから構成される。
【００１９】
固定部材１１は、断面が円形に形成され、上部に台座部１３と、台座部１３から下方へ次第に小径になり最下端部が先鋭状になる地面への差込部１４と、台座部１３の上面中央部から上方へ延びる支柱部１５とを有する。支柱部１５は、大径下部１５ａと、小径上部１５ｂとを有する。大径下部１５ａの対向周面には、台座部１３から大径下部１５ａの上端近傍まで延びる凹溝部１６（図３参照）が形成される。小径上部１５ｂの上端部には下方へ凹曲するティペッグ状のボール当接面１７が形成される。
【００２０】
可動部材１２は、断面が円形の筒状体に形成され、上端部に複数の細片１８ａに分割されるボール支承部１８と、台座部１３とほぼ同径の基部１９と、基部１９の対向内側に凹溝部１６に上下摺動可能に嵌合する凸起部２０が形成される。さらに基部１９の近傍から上方へ向かう所要範囲の対向周面には、窓部２１が形成される（図４参照）。
【００２１】
ティアップには、ボール支承部１８がボール（図示せず）を支承する。その状態では、ボール支承部１８は、可動部材１２が軟質プラスチック材料から形成されることで可撓性を有するので、ボールの重量によって細片１８ａが可動部材１２の径外方へ押し広げられる。
【００２２】
前述から明らかなように、固定部材１１の凹溝部１６とこれに上下摺動可能に嵌合する可動部材１２の凸起部２０とは、可動部材１２が固定部材１１に沿って上方へ摺動する範囲に対する規制手段Ｍを構成する。
【００２３】
図６（ａ）及び（ｂ）に示すように、ティ１０は、固定部材１１の支柱部１５の外周に可動部材１２が嵌合することで、これら部材が互いに結合する。この状態では、凹溝部１６に凸起部２０がそれに沿って上下摺動可能に嵌合し、台座部１３に基部１９が接触し、ボール当接面１７がボール支承部１８の上端よりも下部に位置する(図６（ａ）参照)。また、その状態では、窓部２１が凹溝部１６と位置関係が一致する。こうした状態にあるティ１０は、これが成形され需要者に提供される形態、すなわち、非使用状態にある。
【００２４】
しかるに、ティショットによって可動部材１２が固定部材１１に対して上方へ移動する。このときは、可動部材１２が凹溝部１６及び凸起部２０とから構成される可動部材１２の上下摺動の規制手段によって上方へ摺動し、台座部１３から基部１９が離れ、ボール当接面１７がボール支承部１８の上端よりもさらに下部に位置する（図６（ｂ）参照）。
【００２５】
なお、可動部材１２に窓部２１が形成される実施の形態においては、プラスティック成形業界でいわれる「一体成形」によって、固定部材１１とこれに結合する可動部材１２とを成形することができる。窓部２１は、当該業者には自明なように、前記成形のための金型の一部を構成するスライドコアを位置させる案内部として機能するものである。したがって、固定部材１１と可動部材１２とをそれぞれの成形後に結合する煩瑣でコスト高になる作業が不要となる。
【００２６】
前述の構成を有するこの発明に係るティ１０のティアップ操作について言及すると、図７に示すように、ティアップに際し、プレーヤーが、可動部材１２のボール支承部１８にボールＢを押し当てボール支承部１８を押し開いて固定部材１１の支柱部１５のボール当接面１７に当接し、その状態でボールＢにこれを押し下げるように地面へ向かって圧力を加えると、ティ１０はボールＢを介して地面に円滑かつ容易に差し込まれる。ちなみに、その際、固定部材１１にはその軸方向へ直線状に前記圧力が作用し、固定部材１１はもとより、可動部材１２が座屈するようなことがない。
【図面の簡単な説明】
【００２７】
【図１】この発明に係るゴルフティの側面図。
【図２】前記ティの分解斜視図。
【図３】図２のＩＩＩ−ＩＩＩ線に沿う断面図。
【図４】図２のＩＶ−ＩＶ線に沿う断面図。
【図５】図２の矢標方向Ｖから見た可動部材の環状基部の平面図。
【図６】（ａ）は、前記ティの縦断面図。（ｂ）は、図６の状態から可動部材が上方へ摺動した状態の縦断面図。
【図７】ティアップするときのティとボールとの関係を示すティの側面図。
【符号の説明】
【００２８】
１１    固定部材
１２    可動部材
１３    台座部
１４    差込部
１５    支柱部
１５ａ    大径下部
１５ｂ    小径上部
１６    凹溝部
１７    ボール当接面
１８    ボール支承部
１８ａ    細片
１９    基部
２０    凸起部
Ｍ    規制手段
【図１】
0004502935.tif 000002
【図２】
0004502935.tif 000003
【図３】
0004502935.tif 000004
【図４】
0004502935.tif 000005
【図５】
0004502935.tif 000006
【図６】
0004502935.tif 000007
【図７】
0004502935.tif 000008